(57)【要約】【課題】入館の受付処理を効率的に行うと共に、訪問者が館内を行動する際のセキュリティを確保すること。【解決手段】エリアごとに隣接エリア情報および当該エリア内または隣接エリアとの間のゲートＩＤを保存するエリア情報ＤＢと、訪問者の行き先であるエリア情報を入力し、エリア情報ＤＢを参照して訪問者の現在エリアから行き先エリアまでのゲートＩＤを抽出するルート検索手段と、ルート検索手段によって抽出されたゲートＩＤを含むＩＣカード書き込み情報を送信する手段とを有するサーバと、サーバから送られてきたＩＣカード書き込み情報を受信して、保存しているＩＣカードに書き込んで入管証として発行する入管証発行装置と、入管証に記憶されているゲートＩＤを読み込んで、読み込んだゲートＩＤ中に自ゲートＩＤが存在するか否かを判定して、存在する場合はゲートを開くゲート装置とを備える。【選択図】図１
2007141146.tif 000002
【特許請求の範囲】
【請求項１】
エリアごとに隣接エリア情報および当該エリア内または隣接エリアとの間のゲート識別情報を保存するエリア情報データベースと、訪問者の行き先であるエリア情報を入力し、前記エリア情報データベースを参照して訪問者の現在エリアから行き先エリアまでのゲート識別情報を抽出するルート検索手段と、前記ルート検索手段によって抽出されたゲート識別情報を含むＩＣカード書き込み情報を送信するＩＣカード発行手段とを有するサーバと、
前記サーバから送られてきたＩＣカード書き込み情報を受信して、保存しているＩＣカードに書き込んで入管証として発行する入管証発行装置と、
前記入管証に記憶されているゲート識別情報を読み込んで、読み込んだゲート識別情報中に自ゲート識別情報が存在するか否かを判定して、存在する場合はゲートを開くゲート装置と、
を備えたことを特徴とする入館管理システム。
【請求項２】
前記エリア情報データベースは、エリアごとに役職または部門に基づいて入室を許可する権限レベルを設定可能に構成されていることを特徴とする請求項１に記載の入館管理システム。
【請求項３】
前記サーバは、前記権限レベルに基いて、該権限を有するものに割り当てられた端末装置へ承認要求情報を送信し、前記端末装置を介して入力される承認許可情報によって、前記ＩＣカード書き込み情報の送信を可能にすることを特徴とする請求項２記載の入館管理システム。
【請求項４】
前記ＩＣカードに記憶されている前記ゲート識別情報は、ゲート通過予定順序と関連付けられており、前記ゲート装置は、前記ゲート通過順序をもとに自ゲートに対応するゲート識別情報に関連付けて仮通過フラグを設定する手段と、前記ゲート通過予定順序をもとに次ゲートの位置、方向、あるいは、行き方を表示する手段と、前ゲートに対応するゲート識別情報が仮通過フラグの設定をされている場合は、本通過フラグに変更する手段と、を備えたことを特徴とする請求項１ないし３のいずれか一に記載の入館管理システム。
【請求項５】
前記ＩＣカードは、前記ゲート識別情報に関連付けて、各ゲートの通過時刻を保存可能であることを特徴とする請求項１ないし４のいずれか一に記載の入館管理システム。
【請求項６】
前記ＩＣカードは、前記ゲート識別情報および前記ゲート通過予定順序に関連付けて、ゲート通過予定時刻が保存可能であり、
前記ゲート装置は、前記ゲート通過予定時刻と現在時刻とのずれが第１の基準時間以上になった場合はアラームを出力することを特徴とする請求項４記載の入館管理システム。
【請求項７】
前記ゲート装置は、前記ずれが前記第１の基準時間よりも大きい第２の基準時間以上になった場合は前記サーバへ通知し、前記サーバは、担当者または承認者の端末へアラームを送信することを特徴とする請求項６記載の入館管理システム。
【請求項８】
前記ＩＣカードはＲＦＩＤカードであり、中間ゲート装置はＲＦＩＤカードからの電波を受信することによって動作し、退出用の最終ゲート装置は当該ＩＣカードの挿入によって動作することを特徴とする請求項１ないし７のいずれか一に記載の入館管理システム。
【発明の詳細な説明】
【技術分野】
【０００１】
本発明は、建物又は特定エリアの入館時に訪問者の立入許可されたエリアのゲートのみが開くように制御されたセキュリティ機能を有する入館管理システムに関する。
【背景技術】
【０００２】
従来、受付処理の合理化や入退館のセキュリティを向上させるための技術が提案されている。たとえば、特許文献１では、訪問者がタッチパネルで面接相手を選択して、構内回線によって電話接続し、面接相手がプッシュボタン電話によって特定のコードを入力すると自動的に入管証を発行する受付支援装置が提案されている。
【０００３】
また、特許文献２では、入館時に、訪問者の名前、会社名、訪問先等を印刷した入退館セキュリティカードを発行し、退館時に回収することによって、セキュリティを確保して訪問者の入退間の管理を行うシステムが提案されている。
【特許文献１】特開平０７−２６４３１４号公報
【特許文献２】特開２００１−１０１４６５号公報
【特許文献３】特開平０７−１６８８８９号公報
【発明の開示】
【発明が解決しようとする課題】
【０００４】
ところで、館内が広い場合、入館を許可された訪問者が自由に行動できるとするとセキュリティ上問題がある。一方、館内に設けられた複数のゲートごとに通過の許否の設定をするとなると非常に手間がかかる。
【０００５】
本発明は、上述の係る事情に鑑みてなされたものであり、入館の受付処理を効率的に行うと共に、訪問者が館内を行動する際のセキュリティを確保することのできる入館管理システムを提供することを目的とする。
【課題を解決するための手段】
【０００６】
上記の目的を達成するため、本発明に係わる入館管理システムは、エリアごとに隣接エリア情報および当該エリア内または隣接エリアとの間のゲート識別情報を保存するエリア情報データベースと、訪問者の行き先であるエリア情報を入力し、エリア情報データベースを参照して訪問者の現在エリアから行き先エリアまでのゲート識別情報を抽出するルート検索手段と、ルート検索手段によって抽出されたゲート識別情報を含むＩＣカード書き込み情報を送信するＩＣカード発行手段とを有するサーバと、サーバから送られてきたＩＣカード書き込み情報を受信して、保存しているＩＣカードに書き込んで入管証として発行する入管証発行装置と、入管証に記憶されているゲート識別情報を読み込んで、読み込んだゲート識別情報中に自ゲート識別情報が存在するか否かを判定して、存在する場合はゲートを開くゲート装置と、を備えたことを特徴とする。
【０００７】
本発明では、入館管理システムをサーバ、入館証発行装置、ゲート装置で構成し、サーバでは、館内を複数のエリアに分けてエリアごとにエリア内および隣接するエリアのゲート情報を保存しておき、訪問者の行き先であるエリア情報を入力し、訪問者の現在エリアから行き先エリアまでのゲート識別情報を抽出して、抽出されたゲート識別情報を含むＩＣカード書き込み情報を入館証発行装置に送信するようにする。入館証発行装置では、サーバから送られてくるＩＣカード書き込み情報を受信して、保存しているＩＣカードに書き込んで入管証として発行する。また、ゲート装置は、入管証に記憶されているゲート識別情報を読み込んで、読み込んだゲート識別情報中に自ゲート識別情報が存在するか否かを判定して、存在する場合はゲートの開動作を実行する。
【０００８】
本発明に係わる入館管理システムでは、さらにエリア情報データベースは、エリアごとに役職または部門に基づいて入室を許可する権限レベルを設定可能に構成されていることを特徴とする。
【０００９】
本発明では、エリアごとに役職または部門に基づいて入室を許可する権限を与えて、エリア内への立ち入りを制限する。
【００１０】
本発明に係わる入館管理システムでは、さらにサーバは、権限レベルに基いて、該権限を有するものに割り当てられた端末装置へ承認要求情報を送信し、端末装置を介して入力される承認許可情報によって、ＩＣカード書き込み情報の送信を可能にすることを特徴とする。
【００１１】
本発明では、館内の移動ルートによって立ち入るエリアの権限レベルに基づいて、その承認与えるものの端末装置へ承認要求を送信して、承認許可を得た場合にＩＣカードの書き込みを可能にする。これによって、エリアのセキュリティ管理者を独立して定めることができる。
【００１２】
本発明に係わる入館管理システムでは、ＩＣカードに記憶されているゲート識別情報は、ゲート通過予定順序と関連付けられており、ゲート装置は、ゲート通過順序をもとに自ゲートに対応するゲート識別情報に関連付けて仮通過フラグを設定する手段と、ゲート通過予定順序をもとに次ゲートの位置、方向、あるいは、行き方を表示する手段と、前ゲートに対応するゲート識別情報が仮通過フラグの設定をされている場合は、本通過フラグに変更する手段と、を備えたことを特徴とする。
【００１３】
本発明では、ＩＣカードにゲート通過予定順序のデータを持たせて、各ゲート装置において次のゲートへの指示表示を行う。なお、各ゲート通過時は、そのゲート識別情報に対応して仮フラグをセットし、次のゲートでは、これを本フラグにセットすることによって、前のゲートを通過したという管理を行う。これによって、ゲートを通過したことの管理の正確性が向上する。
【００１４】
本発明に係わる入館管理システムでは、ＩＣカードは、ゲート識別情報に関連付けて、各ゲートの通過時刻を保存可能であることを特徴とする。
【００１５】
本発明では、ゲートの通過時刻を保存することによってエリア内での滞在時間等の管理を可能にする。
【００１６】
好ましくは、ＩＣカードは、ゲート識別情報およびゲート通過予定順序に関連付けて、ゲート通過予定時刻を保存可能にし、ゲート装置は、ゲート通過予定時刻と現在時刻とのずれが第１の基準時間以上になった場合はアラームを出力するようにすると良い。
【００１７】
より好ましくは、ゲート装置は、ずれが第１の基準時間よりも大きい第２の基準時間以上になった場合はサーバへ通知し、サーバは、担当者または承認者の端末へアラームを送信すると良い。
【００１８】
第１の基準時間超過時は、各ゲートにおいて訪問者に時間超過である旨を通知し、訪問者の注意を喚起する。さらに第２の基準時間を超過したときには、担当者または承認者へ通知して不慮の事故等に対する迅速な対応を可能にする。
【００１９】
本発明に係わる入館管理システムでは、ＩＣカードはＲＦＩＤ(Radio Frequency-Identification：電波方式認識)カードであり、中間ゲート装置はＲＦＩＤカードからの電波を受信することによって動作し、退出用の最終ゲート装置は当該ＩＣカードの挿入によって動作することを特徴とする。
【００２０】
本発明では、非接触型のＲＦＩＤカードによって、中間ゲート装置の開閉動作を便利にし、退出用の最終ゲートでは、カードの挿入によって動作するにして回収を確実にする。
【発明の効果】
【００２１】
本発明によれば、入館の受付処理を効率的に行うことができる。また、来館者を目的の場所に誘導する経路において通過するエリアを限定することができるため、エリアに配置されている社内情報の漏洩を防ぐことができ、訪問者が館内を行動する際のセキュリティの確保が可能となる。
【発明を実施するための最良の形態】
【００２２】
以下、本発明の実施の形態を説明する。図１および図２は本発明の実施の形態による入館管理システム１の機能ブロック図である。ここで、入館管理システム１は、入館管理サーバ１０及びこのサーバと通信を行う入館証発行装置２、出入口端末３、担当者端末４、中間ゲート装置５、および最終ゲート装置（退出ゲート装置）６で構成されている。
【００２３】
図１において、入館管理サーバ１０は、ＬＡＮ７（Local Area Network）を介して入館証発行装置２、および出入口端末３、担当者端末４、中間ゲート装置５、そして最終ゲート装置６と繋がっている。入館証発行装置２は入館管理サーバからの入館証発行指令でＩＣチップ入りの入館証を発行する一または二以上の装置である。
【００２４】
また、出入口端末３は館内あるいは敷地内等（以下、単に館内という。）の出入り口に設置されている端末である。担当者端末４は担当者に割り付けられた端末である。中間ゲート装置５は館内のエリアごとに設置されている複数のゲート装置である。また、最終ゲート装置６は建物の出口に設置されているゲート装置である。
【００２５】
入館管理サーバ１０は、ＬＡＮ７を介してデータの送受信を行うための送受信部１１、送受信部から受け取ったデータの処理を行う中央演算処理部１２、データを記憶するための記憶部１５から構成されている。さらに、中央演算処理部１２は、送受信部１１との間でデータの受け渡しを行う送受信処理手段（機能）１２１、入力部１３および表示部１４との間でデータの受け渡しを行う入出力処理手段（機能）１２２、送受信部１１を介して入力されたエリア情報、部門情報、担当者情報を登録する基本情報登録手段（機能）１２３、出入口端末３に接続された窓口電話３６と担当者端末４に接続された窓口電話４６の電話交換を行う電話交換手段（機能）１２４、訪問者が目的部門へ向かうルートを検索するルート検索手段（機能）１２５、ルート検索手段１２５により検索されたルート上に存在するエリアの通行の承認を取得する承認取得手段（機能）１２６、訪問者へＩＣカードを発行するＩＣカード発行手段（機能）１２７、訪問者のゲート通過の時刻異常を監視する通過時刻監視手段（機能）１２８から構成される。
【００２６】
また、記憶部１５は、エリアに関する情報を保存するエリア情報データベース（ＤＢ）１３１、部門に関する情報を保存する部門データベース（ＤＢ）１３２、担当者に関する情報を保存する担当者データベース（ＤＢ）１３３、訪問者に関する情報を保存する訪問者データベース（ＤＢ）１３４、訪問者の通過するルートに関する情報を保存するルート情報データベース（ＤＢ）１３５、訪問者が入館するスケジュールに関する情報を保存するスケジュールデータベース（ＤＢ）１３６を有している。
【００２７】
入館証発行装置２は、ＬＡＮ７を介してデータの送受信を行うためのデータ処理手段２１、カメラ２２、ＩＣカードを保存するＩＣカード保存手段２３、ＩＣカードにルート情報の書き込みを行うＩＣカード書き込み手段２４から構成されている。
【００２８】
出入口端末３は、ＬＡＮ７を介してデータの送受信を行うための送受信部３１、送受信部３１からのデータの処理を行う中央演算処理部３２、中央演算処理部３２との間でデータの入出力を行う入力部３３と表示部３４、中央演算処理部３２と窓口電話３６を繋ぐインターフェイス部３５から構成されている。
【００２９】
担当者端末４は、ＬＡＮ７を介してデータの送受信を行うための送受信部４１、送受信部４１からのデータの処理を行う中央演算処理部４２、中央演算処理部４２との間でデータの入出力を行う入力部４３と表示部４４、中央演算処理部４２と窓口電話４６を繋ぐインターフェイス部４５から構成されている。
【００３０】
中間ゲート装置５は、ＬＡＮ７を介してセンサ５２、カメラ５１、警報機５３、表示部５４から構成されている。
【００３１】
また、最終ゲート装置６は、ＬＡＮ７を介してカメラ６１、入館証返却用装置６２、警報機６３、表示部６４から構成されている。
【００３２】
次に、図３を用いて訪問者、システム、担当者間のデータの流れを説明する。図３において、システム管理者は、入館管理システム１に関する各種情報をエリア情報ＤＢ１３１、部門ＤＢ１３２、担当者情報ＤＢ１３３に登録しておく（Ｓ１０１）。訪問者から担当者への来館申し込みがあると、担当者は担当者端末により予約情報を受信する（Ｓ１０２）。担当者は担当者端末より訪問者の予約情報を登録する（Ｓ１０３）。次に、担当者は担当者端末よりシステム１に対し承認要求を行う（Ｓ１０４）。入館管理システム１は担当者端末から行われた予約情報に対して承認を行う（Ｓ１０５）。  訪問者が事前予約を行わずに建物に来訪した場合は、出入口端末３に繋がっている窓口電話３６から担当者に対し電話連絡を行う（Ｓ１０６）。窓口電話３６から電話がかけられると入館管理システム１の電話交換手段１２４により電話交換が行われ担当者端末４に接続されている窓口電話４６に電話がかけられる。
【００３３】
担当者は訪問者からの電話連絡を受けると（Ｓ１０８）目的部門の設定を行う（Ｓ１０９）。担当者端末からの目的部門設定を受け入館管理システム１では目的部門の登録を行う（Ｓ１１０）。目的部門の登録が行われるとルート検索手段１２５によりルート情報の検索が行われる（Ｓ１１１）。ルート検索手段１２５によりルート情報が抽出されると入館証発行装置にルート情報が送信され、入館証発行装置のＩＣカード書き込み手段２４によりルート情報の書き込みが行われる（Ｓ１１２）。ルート情報の書き込みが終了すると入館証の発行が行われる（Ｓ１１３）。訪問者は入館証発行装置２により発行された入館証受け取る（Ｓ１１４）。来館者は入館を行い、目的部門まで行く途中に設置されている中間ゲート装置を通過する（Ｓ１１５）ことで入館証の確認を受ける（Ｓ１１６）。中間ゲート装置で異常が認められた場合は（Ｓ１１７）、担当者端末へ異常信号を送信する（Ｓ１１８）。担当者端末では入館管理システム１から送信された異常信号を受信する（Ｓ１１９）。入館証に異常が発見されない場合は中間ゲート装置の表示部３４へ来館者が次に進行すべきゲートおよびエリアが表示される（Ｓ１２０）。来館者は目的部門への来訪が終わり館内から出る時、館内の出入口に設けられた最終ゲート装置６の入館証返却装置６２へ入館証を返却する（Ｓ１２１）。
次に、入館管理システム１の動作を説明する。
【００３４】
［基本情報登録段階］
入館管理システム１において、システム管理者はエリアに関する情報、部門に関する情報および担当者に関する情報を入力部１３より入力する。
【００３５】
入力部から入力されたエリアに関する情報、部門に関する情報、担当者に関する情報は入出力処理手段１２３を介し基本情報登録手段１２３によりそれぞれエリア情報ＤＢ１３１、部門ＤＢ１３２、担当者ＤＢ１３３に登録される。
【００３６】
図４は、エリア情報ＤＢ１３１のデータ構成例である。図４において、エリア情報ＤＢ１３１は、エリアを識別するエリアＩＤ、エリア名、このエリアを通行する許可を与える担当者を区分する許可レベル、このエリアに配置されているゲート名が記憶されているゲート情報、このエリアと隣接するエリアのエリアＩＤおよびそのエリアとの間に設置されているゲ−トのゲート名が記憶されている隣接エリア情報などの情報が記憶されている。
【００３７】
図５は、部門ＤＢ１３２のデータ構成例である。図５において、部門ＤＢ１３２は組織の部門を識別する部門ＩＤ、部門名、部門が配置されているエリアのエリアＩＤなどの情報が記憶されている。
【００３８】
図６は、担当者ＤＢ１３３のデータ構成例である。図６において、担当者ＤＢ１３３は組織の部門ごとに役職を識別する役職ＩＤ、役職名エリア許可レベルなどの情報が記憶されている。役職ＩＤはさらに担当者を識別する担当者ＩＤと担当者名などの情報から構成されている。
【００３９】
［ルート検索段階］
<電話交換処理>
訪問者は建物に来訪する場合、来訪予約または来訪目的を出入口端末３に接続された窓口電話３６により担当者に電話を行う。
【００４０】
出入口端末３に接続された窓口電話３６から行われた電話はＬＡＮ７を介し送受信部１１、送受信処理手段１２１により受信処理される。送受信処理手段１２１により受信された通話要求は電話交換手段１２４の交換機能により目的の担当者端末４に接続されている窓口端末４６へ接続される。
【００４１】
出入り端末３に接続されている窓口電話３６から担当者端末４に接続されている窓口電話４６へ電話が接続されると、訪問者は訪問者の所属情報および訪問者が来訪目的に関する情報を担当者へ伝える。
【００４２】
担当者は担当者端末４の入力部４３から訪問者の所属情報および来訪目的に関する情報を入力する。入力された訪問者に関する情報はルート検索手段１２５により訪問者ＤＢ１３４に登録される。
【００４３】
図７は、訪問者ＤＢ１３４のデータ構成例である。図７において、訪問者を識別する訪問者ＩＤとこれに関連付けられた訪問者の氏名、訪問者の会社名、住所、電話番号、訪問者が来館する日時、目的部門の部門ＩＤおよび退館したか否かを表す退館フラグなどの情報から構成されている来館情報(予定)、目的部門の部門ＩＤ、訪問者が来訪する担当者の担当者ＩＤなどの情報が記憶されている。
【００４４】
<ルート検索処理>
ルート検索手段１２５により訪問者ＤＢ１３４に訪問者の来訪目的の部門に関する情報が登録されると訪問者ＤＢに登録された目的部門の目的部門ＩＤと来館日時をもとにどの順序でゲートを通過すればよいかというルート情報が検索される。検出されたルート情報はルート情報ＤＢ１３５へ登録される。
【００４５】
図８は、ルートＤＢ１３５のデータ構成例である。図８において、ゲートを識別するゲートＩＤとこのゲートＩＤに関連付けられた、ゲート通過予定時刻である通過予定時刻、訪問者がゲートを通過した時刻を表す通過時刻、ゲートの設置されているエリアを表すエリアＩＤ、ゲートが設置されているエリアへの進入が許可されているか否かの状態を表すエリア承認フラグ、エリアへの侵入を許可した担当者の担当者ＩＤなどの情報が訪問者がゲートを通過すべき順に記憶されている。なお、ルートＤＢ１３５は、各ゲート通過時にそのゲートＩＤに対応してゲート通過時刻をセットすると共に仮フラグをセットし、次のゲートでは、これを本フラグにセットすることによって、前のゲートを通過したという管理を行うようにしてもよい。
【００４６】
<承認取得処理>
ルート検索処理において検索されたルート情報のうちエリアＩＤと担当者ＩＤをもとに
エリア情報ＤＢと担当者ＤＢの許可レベルを判定し、検索されゲートが設置されているエリアの許可レベルが担当者の許可レベルより高い場合は承認取得手段１２６により担当者の上司にエリア侵入についての承認取得要求が行われる。承認取得状況はルート情報ＤＢの承認フラグに表示される。
【００４７】
［入館段階］
<ＩＣカード発行処理>
担当者端末４から送信された承認要求は承認取得手段１２６によって担当者の上司の担当者端末へ送信される。承認要求について上司が承認を行うとルート情報ＤＢ１３５の承認フラグが「承認済み」へ更新される。
【００４８】
ルート検索手段１２５によって検索されたルート情報が承認取得手段１２６により承認取得がなされるとＩＣカード発行手段１２７により入館管理サーバ１０の送受信部１１から入館証発行装置２へ送信される。入館管理サーバ１０の送受信部１１から送信されたルート情報はＬＡＮ７を介し入館証発行装置２のデータ処理手段２１で受信処理される。
【００４９】
入館証発行装置の２データ処理手段２１で受信されたルート情報はＩＣカード書き込み手段２４によりＩＣカード保存手段２３により保存されていたＩＣカードに書き込みが行われる。
【００５０】
<通過時刻監視処理>
来館者は入館証発行装置２により発行された入館証を持ち目的部門に向かう。
来館者は目的部門に向かう途中に設置されている中間ゲート装置５に接続されているセンサ５２により入館証を確認しながら目的部門が配置されているエリアへ向かう。
【００５１】
中間ゲート５においてカメラ５１およびセンサ５２により入館証をスキャンすることにより確認を行う。この時、入館証に異常が発見されると訪問者に対し警報機５３からアラームが発せられ、担当者端末４へ異常信号が送信される。入館証に異常が発見されなかった場合、入館証に書き込まれているルート情報が読み取られ次に訪問者が進む方向が表示部５４へ表示され、入館証にゲート通過時刻が書き込まれる。
【００５２】
訪問者は目的部門において用件を果たし終えると建物の出口に設置されている最終ゲート装置６に入館証を返却し建物から退出する。
【００５３】
この時、最終ゲート装置６に接続されているカメラ６１および入館証返却用装置６２により入館証がスキャンされ、入館証に異常がないと判定された場合に入館証が回収され、返却された入館証が発行された訪問者の来館情報の退館フラグがセットされる。
【００５４】
入館管理サーバ１０の通過時刻監視手段１２８によりルート情報ＤＢ１３５の通過予定時刻を大幅に過ぎてもゲートを通過しない訪問者が抽出され、担当者端末４の表示部４４へ表示させる。
【００５５】
以上、本実施の形態によれば、来館者に管理を確実に行うことができるとともに、来館者を目的部門に誘導する経路において通過するエリアを限定することができるため、エリアに配置されている社内情報の漏洩を防ぐことが容易となる。
【００５６】
また、本実施の形態による入館管理システムは、入館証にゲート通過予定情報やゲート識別情報などの基本的な情報を保存しておくため、入館証発行後は、基本的にその入館証と各ゲートに設けられたゲート装置のみによってゲートの開閉を行うことになる。このため、訪問者がエリア内にいるときにネットワーク障害によってサーバとの通信が途絶えたとしても、ゲートの開閉に支障なく目的のエリアあるいは出口まで到達することができる。
【００５７】
本発明は、上述の実施形態に限定されること無くその要旨を逸脱しない範囲で種々変形して実施することができる。例えば、ルート情報ＤＢ１３５のゲート通過予定時刻と現在時刻とのずれが一定の基準時間以上になった場合はゲート装置を介してアラームを出力するようにするようにしても良い。また、その基準時間よりも長い所定時間を経過した場合は、サーバ１０から担当者または承認者の端末へアラームを送信するようにすれば、担当者や承認者側は、常時訪問者に同行しなくても異常を知ることができる。
【００５８】
また、ルート情報ＤＢ１３５に保存されているルート情報は、入館管理サーバ１０内に持たせても良いが、ＩＣカード（入館証）、または、ＩＣカードとサーバ１０の両方に保存することによって、サーバ１０がネットワーク障害によってゲート装置５，６と通信ができなくなったときでも、ゲートの開動作が可能となる。また、ネットワーク復旧時はＩＣカードに保存されているデータをサーバ１０へ転送することによってサーバ１０での監視が可能となる。
【産業上の利用可能性】
【００５９】
本発明は、館内や敷地内等の入館管理のほか、ゲート通過時刻を管理することによって、危険なエリアでの作業時の異常有無の監視にも適用することができる。
【図面の簡単な説明】
【００６０】
【図１】本発明の実施の形態による入館管理システムの機能ブロック図であり、入館管理サーバ、出入口端末、担当者端末の機能ブロック図である。
【図２】本発明の実施の形態による入館管理システムの機能ブロック図であり、入館証発行装置、中間ゲート装置、最終ゲート装置の機能ブロック図である。
【図３】図１の入館処理システム業務フローを示す説明図である。
【図４】図１のエリア情報ＤＢ１３１のデータ構成図である。
【図５】図１の部門ＤＢ１３２のデータ構成図である。
【図６】図１の担当者ＤＢ１３３のデータ構成図である。
【図７】図１の訪問者ＤＢ１３４のデータ構成図である。
【図８】図１のルートＤＢ１３５のデータ構成図である。
【符号の説明】
【００６１】
１  入館管理システム
２  入館証発行装置
３  出入口端末
４  担当者端末
５  中間ゲート装置
６  最終ゲート装置
７  ＬＡＮ（Local Area Network）
１０  入館管理サーバ
１１  ３１  ４１  送受信部
１２  ３２  ４２  中央演算処理部
１３  ３３  ４３  入力部
１４  ３４  ４４  ５４  ６４  表示部
１５  記憶部
２１  データ処理手段
２２  ５１  ６１  カメラ
２３  ＩＣカード保存手段
２４  ＩＣカード書き込み手段
３５  ４５  インターフェイス部
３６  ４６  窓口電話
５２  センサ
５３  ６３  警報機
６２  入館証返却手段
１２１  送受信処理手段
１２２  入出力処理手段
１２３  基本情報登録手段
１２４  承認取得手段
１２５  電話交換手段
１２６  ルート検索手段
１２７  ＩＣカード発行手段
１２８  通過時刻監視手段
１３１  エリア情報データベース（ＤＢ）
１３２  部門データベース（ＤＢ）
１３３  担当者データベース（ＤＢ）
１３４  訪問者データベース（ＤＢ）
１３５  ルート情報データベース（ＤＢ）
１３６  スケジュールデータベース（ＤＢ）
【図１】
2007141146.tif 000003
【図２】
2007141146.tif 000004
【図３】
2007141146.tif 000005
【図４】
2007141146.tif 000006
【図５】
2007141146.tif 000007
【図６】
2007141146.tif 000008
【図７】
2007141146.tif 000009
【図８】
2007141146.tif 000010